(57)【要約】【課題】  簡易な構成で製造コスト及びランニングコストを低減でき、施設や病院だけでなく家庭向けとしても利用でき、清潔に作業を行うことができるとともに、組み立ての作業性を向上させ、被介護者を浴槽に着床させる際、ベットから抱きかかえたり、持ち上げる等の移動行為を必要とせず、浴槽を横に傾ける必要がない介護用シャワー浴槽を提供する。【解決手段】  本発明の介護用シャワー浴槽は、全体が舟形に形成され、底面が中央に向かって下り勾配に傾斜して形成された湯受け槽１を備えており、湯受け槽１は、被介護者が横たわる本体部２と、本体部２に溜まった湯を外部に排水する排水部３とに分割されて構成され、本体部２と排水部３とが接合レバー４によって接合される。【選択図】  図１
2006246909.tif 000002
【特許請求の範囲】
【請求項１】
全体が舟形に形成され、底面が中央に向かって下り勾配に傾斜して形成された湯受け槽を備えた介護用シャワー浴槽であって、
前記湯受け槽は、被介護者が横たわる本体部と、本体部に溜まった湯を外部に排水する排水部とに分割されて構成され、前記本体部と排水部とが接合レバーによって接合されることを特徴とする介護用シャワー浴槽。
【請求項２】
前記本体部に設けられた第１の掛止部材と、前記排水部に設けられ、突起部を備えた第２の掛止部材とを有し、
前記接合レバーは、前記第２の掛止部材の突起部に摺動可能に嵌入される嵌入孔が斜めに形成された平板部と、前記平板部の先端に設けられ、前記第１の掛止部材に引掛ける引掛け部と、前記平板部に取り付けられたハンドル部と有し、前記ハンドル部を用いて前記接合レバーを水平方向に移動させることにより、前記本体部を排水部側に引き寄せて接合させる、
ことを特徴とする請求項１に記載の介護用シャワー浴槽。
【請求項３】
前記本体部と排水部との間に、可撓性の材料で作られた水漏防止用パッキンが取り付けられていることを特徴とする請求項１又は２に記載の介護用シャワー浴槽。
【請求項４】
前記排水部の側面方向の両端部に、それぞれ第１の排水ノズル及び第２の排水ノズルが設けられていることを特徴とする請求項１乃至３のいずれか１つの項に記載の介護用シャワー浴槽。
【発明の詳細な説明】
【技術分野】
【０００１】
本発明は、寝たきり者、高齢者、身体障害者等の被介護者の体や髪をシャワーで洗浄するために用いられる介護用シャワー浴槽に関し、特に、装着を簡単かつ迅速に行うことができる介護用シャワー浴槽に関する。
【背景技術】
【０００２】
近年における高齢化社会に伴い、介護を必要とする寝たきり者、高齢者、身体障害者等の被介護者の数は急速に増加している。通常、被介護者は、体を動かすことが不自由なため、自ら入浴したり、シャワーで体や髪を洗浄することは非常に困難である。
【０００３】
そこで、介護支援サービスの一つとして、訪問入浴サービスが利用されている。この訪問入浴サービスは、介護ヘルパーが被介護者の自宅まで入浴車で訪問し、部屋の中へバスタブを設置し、被介護者の体や髪を洗浄するサービスである（以下、従来例１という）。
【０００４】
また、被介護者の入浴やシャワーによる洗浄を支援するための種々の装置が従来から提案されている。例えば、ベット上でシャワー浴とスチーム温浴を行うことができるカプセル型のシャワー洗浄装置が東陶機器株式会社等により製造され販売されている（以下、従来例２という）。
【０００５】
さらに、特開２０００−２１０３６２号公報には、簡易移動により、血圧の変化を少なくできる浴槽付き便器水槽が提案されている（以下、この技術を従来例３という）。
【０００６】
なお、本発明者は、凹状に形成された湯受け槽を備えた湯受け部材と、底面が中央に向かって下り勾配に傾斜して形成され、湯受け部材を収納する収納部を備えた床部材とを有する介護用シャワー浴槽を開発し、平成１５年１１月７日付けで特許出願を行った（特願２００３−３７８５５６号）（以下、関連技術という））。この介護用シャワー浴槽によれば、簡易な構成で製造コスト及びランニングコストを低減でき、施設や病院だけでなく家庭向けとしても利用でき、清潔に作業を行うことができる。
【０００７】
【特許文献１】特開２０００−２１０３６２号公報
【発明の開示】
【発明が解決しようとする課題】
【０００８】
従来例１では、設備の運搬、設置、操作等のために時間や労力がかかり、また、多人数の介護ヘルパーによって作業が行われ、人件費がかかるため、サービス料金が非常に高くなる。その結果、利用者の経済的負担が重くなり、頻繁に利用することができないという課題がある。
【０００９】
従来例２では、大変高価で大掛かりな装置であるため、主に老人ホーム等の施設や病院によって利用され、家庭向けに利用されることはまれであるという課題がある。
【００１０】
従来例３では、浴槽に溜まった水（シャワー水や入浴水）と被介護者から出される便や尿とを同一の排出穴から排出するので、不潔になりやすいという課題がある。
【００１１】
関連技術では、シート状の湯受け部材を用いているので、何回も使用していると破損しやすいという課題がある。また、床部材の排水ノズル内に湯受け部材の排水ノズルを嵌入した場合、床部材を中央を支点として上下にローリングした際に、逆流した水が湯受け部材の湯受け槽に戻らず、床部材と湯受け部材との隙間に流れ込むおそれがある。そのため、このような逆流を防止するために、止め金具等を用いなければならないという課題がある。さらに、床部材の外周部上に外枠部材を取り付ける等、組み立て作業が面倒であり、時間と手間を要するという課題がある。
【００１２】
また、被介護者を浴槽に着床させる際、ベットから抱きかかえたり、持ち上げる等の移動行為を必要とするため、重労働となり、介護ヘルパーの負担増加につながるという課題がある。また、浴槽を横に傾けるため、浴槽の強度を高める材質を使用する必要があり、コストアップにつながるという課題がある。
【００１３】
本発明は、上記課題を解決するためになされたものであり、簡易な構成で製造コスト及びランニングコストを低減でき、施設や病院だけでなく家庭向けとしても利用でき、清潔に作業を行うことができるとともに、組み立ての作業性を向上させ、被介護者を浴槽に着床させる際、ベットから抱きかかえたり、持ち上げる等の移動行為を必要とせず、浴槽を横に傾ける必要がない介護用シャワー浴槽を提供することを目的とする。
【課題を解決するための手段】
【００１４】
本発明の介護用シャワー浴槽は、全体が舟形に形成され、底面が中央に向かって下り勾配に傾斜して形成された湯受け槽を備えた介護用シャワー浴槽であって、前記湯受け槽は、被介護者が横たわる本体部と、本体部に溜まった湯を外部に排水する排水部とに分割されて構成され、前記本体部と排水部とが接合レバーによって接合されることを特徴とするものである。
【００１５】
前記本体部に設けられた第１の掛止部材と、前記排水部に設けられ、突起部を備えた第２の掛止部材とを有し、前記接合レバーは、前記第２の掛止部材の突起部に摺動可能に嵌入される嵌入孔が斜めに形成された平板部と、前記平板部の先端に設けられ、前記第１の掛止部材に引掛ける引掛け部と、前記平板部に取り付けられたハンドル部と有し、前記ハンドル部を用いて前記接合レバーを水平方向に移動させることにより、前記本体部を排水部側に引き寄せて接合させるのが好ましい。
【００１６】
前記本体部と排水部との間に、可撓性の材料で作られた水漏防止用パッキンが取り付けられているのが好ましい。
【００１７】
前記排水部の側面方向の両端部に、それぞれ第１の排水ノズル及び第２の排水ノズルが設けられているのが好ましい。
【発明の効果】
【００１８】
本発明の介護用シャワー浴槽によれば、次のような効果を奏する。
【００１９】
（１）接合レバーの操作により、本体部と排水部とからなる湯受け槽を迅速かつ簡単に接合して組み立てることができるので、組み立ての作業性を著しく向上させることができる。
【００２０】
（２）被介護者を湯受け槽に着床させる際、ベットから抱きかかえたり、持ち上げる等の移動行為を必要としないため、作業が容易になり、介護ヘルパーに負担をかけることはない。また、湯受け槽を横に傾ける必要がないため、浴槽の強度をそれ程高める必要がなく、製品のコストダウンにつながる。
【００２１】
（３）簡易な構成であるので、運搬、設置、操作等に時間や労力がかかることはなく、少人数の介護ヘルパーによって作業を行うことができ、人件費がかからず、訪問入浴サービスの料金を低減できる。その結果、利用者の経済的負担が軽くなり、頻繁に利用することが可能となる。
【００２２】
（４）安価で製造できるため、施設や病院だけでなく家庭向けとしても利用できる。
【００２３】
（５）湯受け槽の底面が中央に向かって下り勾配に傾斜して形成されており、中央を支点として上下に回動することにより、湯受け槽に溜まった水と被介護者から出される便や尿とをそれぞれ別個の排水ノズルから排水できるので、湯受け槽内を清潔に保つことができる。
【００２４】
（６）シャワー水で被介護者を洗浄するので、使用する湯量を少なくでき、ランニングコストを低減できる。
【００２５】
（７）シャワー水を低い位置から流出することにより、湯気の発生を防止でき、室内の汚れを低減できる。
【００２６】
（８）被介護者をベットから全く移動させることなく、横向きに寝返るだけで、本発明の介護用シャワー浴槽の設置が可能となるので、被介護者の負担を著しく低減できるとともに、介護者にとっても作業時間の短縮や作業労力を著しく低減できる。
【発明を実施するための最良の形態】
【００２７】
以下、本発明の実施例について図面を参照して説明する。
【００２８】
図１（Ａ）は本発明の実施例に係る介護用シャワー浴槽を示す平面図、（Ｂ）はその側面図、図２（Ａ）は本体部と排水部とが接合される前の状態を示す側面図、（Ｂ）は本体部と排水部とを接合レバーによって接合している状態を示す側面図、図３（Ａ）は第１の掛止部材を示す斜視図、（Ｂ）は（Ａ）のＩＩＩ−ＩＩＩ線断面図、図４（Ａ）は第２の掛止部材を示す斜視図、（Ｂ）は（Ａ）のＩＶーＩＶ線断面図、図５は、接合レバーの構成及び動作を説明するための説明図、図６（Ａ）は本体部と排水部の端面側を示す正面図、（Ｂ）はその平面図である。
【００２９】
図１（Ａ）及び（Ｂ）に示すように、本発明の実施例に係る介護用シャワー浴槽は、全体が舟形に形成された湯受け槽１を備えている。
【００３０】
湯受け槽１は、軽量で丈夫な材質で作られるのが好ましく、例えばサーフボードのように、プラスチック発泡材を成形加工し、その表面をグラスファイバ等の強化プラスチックでラミネート補強して製造される。
【００３１】
湯受け槽１の底面は、中央を支点として上下にローリング（回動）できるように中央に向かって下り勾配に傾斜して形成されている（図１（Ｂ）参照）。傾斜角度θは、８°〜１０°程度が好ましい。
【００３２】
湯受け槽１は、シャワーによって洗浄しようとする被介護者が横たわって入浴するための本体部２と、本体部２に溜まった湯を外部に排水する排水部３とに分割されて構成されている。本体部２と排水部３とは、後述する２つの接合レバー４の操作によって接合される。
【００３３】
図１（Ｂ）に示すように、排水部３の側面側の両端部には、それぞれ第１の排水ノズル５及び第２の排水ノズル６が設けられている。第１の排水ノズル５は、被介護者の体や頭髪を洗浄した際に排水するために用いられ、第２の排水ノズル６は、被介護者が失禁した際に排水するために用いられる。第１の排水ノズル５及び第２の排水ノズル６は、例えばゴム等のような可撓性のある材料で作られている。
【００３４】
第１の排水ノズル５及び第２の排水ノズル６の先端部は、排水ホース８を介してポンプ装置７に連結されている（図１（Ｂ）参照）。
【００３５】
図２（Ａ）及び（Ｂ）に示すように、本体部２と排水部３との間にはゴム等の可撓性の材料で作られた水漏防止用パッキン９が取り付けられている。
【００３６】
また、本体部２の排水部対向側の端面にはピン穴１０が形成され、排水部３の本体部対向側の端面にはピン穴１０に嵌合されるノックピン１１が設けられ、排水部３のロックピン１１を本体部２のピン穴１０に挿入することにより、本体部２と排水部３とを接合する際の位置決めを行うことができる。
【００３７】
図１（Ａ）及び図２に示すように、本体部２の底面には第１の凹部２ａが所定間隔を隔てて２箇所形成され、第１の凹部２ａに第１の掛止部材１２が埋め込まれて固定されている。また、排水部３の底面には第２の凹部３ａが間隔を隔てて２箇所形成され、第２の凹部３ａに第２の掛止部材１３が埋め込まれている。
【００３８】
第１の掛止部材１２は、図３（Ａ）及び（Ｂ）に示すように、略円盤状に形成され硬質発泡材等で作られた基台１２ａと、基台１２ａの上面に取り付けられ、略Ｃ字状に形成されたステンレス等の金属製の引掛け板１２ｂとを有する。
【００３９】
基台１２ａの上面には、平面視Ｕ字状の切り欠き部１２ｃが形成されており、引掛け板１２ｂは、切り欠き部１２ｃの外縁に沿って取り付けられている。
【００４０】
基台１２ａ及び引掛け板１２ｂには、それぞれ複数（図４の例では４つ）の取付孔１２ｄが対応する位置に形成されている。基台１２ａ及び引掛け板１２ｂの取付孔１２ｄにはボルト等の締結具１２ｅが挿入され、基台１２ａと引掛け板１２ｂとを締結している。
【００４１】
基台１２ａの内部には、締結具１２ｅと螺着されるナット部１２ｆが各取付孔１２ｄの下部に設けられている。
【００４２】
第２の掛止部材１３は、図４（Ａ）に示すように、略円盤状に形成され、硬質発泡材等で作られた基台１３ａと、基台１３ａの上面に取り付けられ、略長方形に形成された基板１３ｂと、基板１３ｂの上部に設けられ、上面に長手方向に延びて形成された開口部１３ｃが形成された中空箱形の支持部１３ｄと、支持部１３ｄの上面に支持される突起部（ボス）１３ｅとを有する。
【００４３】
図４（Ｂ）に示すように、突起部１３ｅの下部では、支持部１３ｄ内において、取付ボルト１３ｆによって角座ナット１３ｇを取り付けている。これによって、突起部１３ｅは、開口部１３ｃに沿って、位置の変動が可能となり（矢印方向）、湯受け槽１の接合圧を調整することができる。支持部１３ｄには滑り止め用ネジ１３ｈが取り付けられている。滑り止め用ネジ１３ｈの先端に角座ナット１３ｇが当接するので、突起部１３ｅの滑りを防止できる。
【００４４】
基台１３ａ及び基板１３ｂには、それぞれ複数（図５の例では４つ）の取付孔１３ｉが対応する位置に形成されている。基台１３ａ及び基板１３ｂの取付孔１３ｉにはボルト等の締結具１３ｊが挿入され、基台１３ａと基板１３ｂとを締結している。
【００４５】
基台１３ａの内部には、締結具１３ｊと螺着されるナット部１３ｋが、各取付孔１３ｉの下部に設けられている。
【００４６】
図５に示すように、接合レバー４は、略楕円状に形成され、第２の掛止部材１３の突起部１３ｅに摺動可能に嵌入される嵌入孔４ａが斜めに形成された平板部４ｂと、平板部４ｂから突出して長手方向に延びて形成され、先端に第１の掛止部材１２の引掛け板１２ｂに引掛けるフック４ｃを備えた引掛け部４ｄと、平板部４ｂに取り付けられたハンドル部４ｅと有する。
【００４７】
図５において、接合レバー４をフック４ｃを支点として矢印方向（図５では時計方向）に水平に回動させることにより、第２の掛止部材１３の突起部１３ｅに対して嵌入孔４ａが摺動しながら、接合レバー４が移動する。接合レバー４の移動前における突起部１３ｅが嵌入される嵌入孔４ａの第１端部Ｐ１と、接合レバー４の移動後における突起部１３ｅが嵌入される嵌入孔４ａの第２端部Ｐ２とで形成される軌跡Ｃ１は、フック４ｃ（支点）と第１端部Ｐ１とで形成される円弧Ｃ２よりも内側（フック４ｃ側）に位置する。これによって、接合レバー４の移動によって、本体部２を排水部３側に引き寄せることができ、本体部２と排水部３とが接合される。なお、第２端部Ｐ２の嵌入孔４ａには、突起部１３ｅを係止する凹部４ｆが形成され、移動して接合した後の接合レバー４が元に戻らないように係止できるようになっている。
【００４８】
図１（Ａ）、図６（Ａ）及び（Ｂ）に示すように、排水部３の正面側及び背面側には、それぞれブラケット１４ａが固定され、そのブラケット１４ａには、フレーム部材１５が取り付けられたロック部材１４が枢着されている。一方、本体部２の正面側及び背面側には、フレーム部材１５を係止するためのフック部材１６がそれぞれ設けられている。
【００４９】
ブラケット１４ａ及びフック部材１６は、ネジ等の締結具１７によって、それぞれ排水部３及び本体部２に取り付けられている。フック部材１６には、ずれ止め用のラック部１６ａが形成されている。
【００５０】
なお、図６中、１８は帯状に形成された水漏れ防止用パッキン、１９は水漏れ防止用パッキンの膨張を抑えるためのスポンジである。
【００５１】
次に、本発明の実施例に係る介護用シャワー浴槽の組み立て方法及び被介護者を着床させるまでの工程について説明する。図７（Ａ）及び（Ｂ）は本発明の実施例に係る介護用シャワー浴槽に被介護者を着床させている状態を示す斜視図、図８（Ａ）〜（Ｅ）は、本発明の実施例に係る介護用シャワー浴槽に被介護者を着床させるまでの工程を概略的に示す説明図である。
【００５２】
まず、介護者Ｋ側に約２０ｃｍほど、浴者である被介護者Ｈを引き寄せて、本体部２を設置するスペースをベットＢ上に設ける（図８（Ａ）参照）。
【００５３】
次いで、被介護者Ｈを横向きに寝返し、本体部２の先端を被介護者Ｈの背中側に引き寄せる（図７（Ａ）及び図８（Ｂ）参照）。
【００５４】
次いで、横向きの被介護者Ｈの体位を元の位置に戻すことにより、被介護者Ｈは本体部２に着床する（図７（Ｂ）及び図８（Ｃ）参照）。
【００５５】
次いで、本体部２と排水部３とを接合レバー４を用いて接合する（図８（Ｄ）及び（Ｅ）参照）。すなわち、排水部３のノックピン１１を本体部２のピン穴１０に挿入することにより、本体部２と排水部３とを接合する際の位置決めを行う。
【００５６】
次いで、排水部３の正面側及び背面側のフレーム部材１５を、本体部２の正面側及び背面側のフック部材１６に引掛けて、ロック部材１４を回動させて、ロックする（図６（Ｂ）参照）。
【００５７】
次いで、２つの接合レバー４のフック４ｃを第１の掛止部材１２の引掛け板１２ｂに引掛けるとともに、嵌入孔４ａ内に第２の掛止部材１３の突起部１３ｅを嵌入する。
【００５８】
そして、２つの接合レバー４をフック４ｃを支点として互いに接近する方向（図１参照）に水平方向に回動させることにより、第２の掛止部材１３の突起部１３ｅに対して嵌入孔４ａが摺動しながら、接合レバー４が移動する。この接合レバー４の移動によって、本体部２は排水部３側に引き寄せられ、本体部２と排水部３とが接合される。
【００５９】
最後に、被介護者Ｈを本体部２の中心に位置するように動かし、次のシャワー洗浄に備える。
【００６０】
次に、本発明の実施例に係る介護用シャワー浴槽を用いた被介護者の洗浄について説明する。
【００６１】
まず、図９（Ａ）に示すように、湯受け槽１の底面の頭側及び足側にそれぞれ第１の保持枕２０及び第２の保持枕２１を設置して上下のバランスを保つ。この状態で、被介護者Ｈをシャワー水で素洗いする。その際、排水は行わず、湯受け槽１内の湯溜めをする。
【００６２】
次いで、図９（Ｂ）に示すように、被介護者Ｈの頭側に設置されている第１の保持枕２０を第２の保持枕２１上に載せることにより、湯受け槽１を被介護者Ｈの頭側に向かって下り勾配に傾斜させた状態にする。この状態で、シャワー水により被介護者Ｈの体を仕上げ洗浄するとともに、頭髪を洗う。その際、ポンプ装置７を作動させて、第１の排水ノズル５から排水ホース８を介して排水が行われる。
【００６３】
被介護者Ｈが失禁した場合には、図９（Ｃ）に示すように、被介護者Ｈの足側に設置されている第２の保持枕２１を第１の保持枕２０上に載せることにより、湯受け槽１を被介護者Ｈの足側に向かって下り勾配に傾斜させた状態にする。この状態で、シャワー水により汚水を足側に流すとともに、ポンプ装置７を作動させて、第２の排水ノズル６から排水ホース８を介して排水が行われる。
【００６４】
なお、第１の保持枕２０及び第２の保持枕２１は、例えば軽量な硬質発泡材で作られている。
【００６５】
本発明の実施例に係る介護用シャワー浴槽によれば、接合レバー４の操作により、本体部２と排水部３とからなる湯受け槽１を迅速かつ簡単に接合して組み立てることができるので、組み立ての作業性を著しく向上させることができる。
【００６６】
また、被介護者Ｈを湯受け槽１に着床させる際、ベットＢから抱きかかえたり、持ち上げる等の移動行為を必要としないため、作業が容易になり、介護ヘルパーに負担をかけることはない。また、湯受け槽１を横に傾ける必要がないため、浴槽の強度をそれ程高める必要がなく、製品のコストダウンにつながる。
【００６７】
また、簡易な構成であるので、運搬、設置、操作等に時間や労力がかかることはなく、少人数の介護ヘルパーによって作業を行うことができ、人件費がかからず、訪問入浴サービスの料金を低減できる。その結果、利用者の経済的負担が軽くなり、頻繁に利用することが可能となる。
【００６８】
また、本発明の実施例に係る介護用シャワー浴槽は、安価で製造できるため、施設や病院だけでなく家庭向けとしても利用できる。
【００６９】
また、湯受け槽１の底面が中央に向かって下り勾配に傾斜して形成されており、中央を支点として上下に回動することにより、湯受け槽１に溜まった水と被介護者Ｈから出される便や尿とをそれぞれ別個の排水ノズルから排水できるので、湯受け槽１内を清潔に保つことができる。
【００７０】
また、シャワー水で被介護者Ｈを洗浄するので、使用する湯量を少なくでき、ランニングコストを低減できる。
【００７１】
また、シャワー水を低い位置から流出することにより、湯気の発生を防止でき、室内の汚れを低減できる。
【００７２】
さらに、被介護者ＨをベットＢから全く移動させることなく、横向きに寝返るだけで、本発明の介護用シャワー浴槽の設置が可能となるので、被介護者Ｈの負担を著しく低減できるとともに、介護者にとっても作業時間の短縮や作業労力を著しく低減できる。
【００７３】
本発明は、上記実施の形態に限定されることはなく、特許請求の範囲に記載された技術的事項の範囲内において、種々の変更が可能である。例えば、本発明の実施例に係る介護用シャワー浴槽の構成要素となる各部材について開示されている形状及び材料は例示であり、これに限定されるものではない。
【図面の簡単な説明】
【００７４】
【図１】（Ａ）は本発明の実施例に係る介護用シャワー浴槽を示す平面図、（Ｂ）はその側面図である。
【００７５】
【図２】（Ａ）は本体部と排水部とが接合される前の状態を示す側面図、（Ｂ）は本体部と排水部とを接合レバーによって接合している状態を示す側面図である。
【００７６】
【図３】（Ａ）は第１の掛止部材を示す斜視図、（Ｂ）は（Ａ）のＩＩＩ−ＩＩＩ線断面図である。
【００７７】
【図４】（Ａ）は第２の掛止部材を示す斜視図、（Ｂ）は（Ａ）のＩＶーＩＶ線断面図である。
【００７８】
【図５】接合レバーの構成及び動作を説明するための説明図である。
【００７９】
【図６】（Ａ）は本体部と排水部の端面側を示す正面図、（Ｂ）はその平面図である。
【００８０】
【図７】（Ａ）及び（Ｂ）は本発明の実施例に係る介護用シャワー浴槽に被介護者を着床させている状態を示す斜視図である。
【００８１】
【図８】（Ａ）〜（Ｅ）は、本発明の実施例に係る介護用シャワー浴槽に被介護者を着床させるまでの工程を概略的に示す説明図である。
【００８２】
【図９】（Ａ）〜（Ｃ）は、本発明の実施例に係る介護用シャワー浴槽を用いて被介護者Ｈを洗浄する際における湯受け槽の動作を概略的に説明するための説明図である。
【符号の説明】
【００８３】
１：湯受け槽
２：本体部
３：排水部
４：接合レバー
５：第１の排水ノズル
６：第２の排水ノズル
７：ポンプ装置
８：排水ホース
９：水漏防止用パッキン
１０：ピン穴
１１：ノックピン
１２：第１の掛止部材
１３：第２の掛止部材
１４：ロック部材
１５：フレーム部材
１６：フック部材
１７：締結具
１８：水漏れ防止用パッキン
１９：スポンジ
２０：第１の保持枕
２１：第２の保持枕
【図１】
2006246909.tif 000003
【図２】
2006246909.tif 000004
【図３】
2006246909.tif 000005
【図４】
2006246909.tif 000006
【図５】
2006246909.tif 000007
【図６】
2006246909.tif 000008
【図７】
2006246909.tif 000009
【図８】
2006246909.tif 000010
【図９】
2006246909.tif 000011